(57)【要約】【課題】溶接異物が電極組立体に至る可能性を低減できる蓄電装置を提供すること。【解決手段】電極組立体１２と、ケース１１と、電極端子１５と、導電部材１７と、絶縁カバー３０と、を備える蓄電装置１０であって、各タブ群２５ａ，２８ａは、基端部２９ａと、溶接部２９ｄを有する延出部２９ｂと、を備え、絶縁カバー３０は、蓋１４と導電部材１７との間に設けられている第１部位３１と、タブ側端面１２ａと延出端面２９ｅとの間に設けられている第２部位３２と、第１部位３１と第２部位３２とを接続するとともに各タブ群２５ａ，２８ａを電極組立体１２の積層方向他端寄りから覆う第３部位３３とを有し、第２部位３２には、対向部３２ａにおける電極組立体１２の積層方向一端寄りの外側を少なくとも囲む壁部５０が設けられている。【選択図】図３
2020072018.tif 000002
【特許請求の範囲】
【請求項１】
正極と負極の電極が絶縁された状態で積層され、且つ前記電極から突出したタブが同じ極性同士で積層されたタブ群を有する電極組立体と、
前記電極組立体を収容する有底筒状のケース本体、及び前記ケース本体の開口部を閉塞する板状の蓋を有するケースと、
同じ極性の前記タブ群と電気的に接続されるとともに、前記蓋の下面と、前記電極組立体における前記タブ群が存在するタブ側端面との間に配置される導電部材と、
前記蓋に固定され、前記導電部材と電気的に接続された電極端子と、
前記蓋と前記電極組立体の前記タブ側端面との間に配置される絶縁カバーと、を備える蓄電装置であって、
前記タブ群は、前記電極組立体の積層方向一端寄りに前記タブが寄せ集められた基端部と、前記基端部から前記電極組立体の積層方向他端寄りに向けて延出するとともに前記タブが溶接されることで前記導電部材に固定されている溶接部を有する延出部と、を備え、
前記絶縁カバーは、前記蓋と前記導電部材との間に設けられている第１絶縁部と、前記タブ側端面と、前記延出部における前記タブ側端面と対向している延出端面との間に設けられている第２絶縁部と、前記第１絶縁部と前記第２絶縁部とを接続するとともに前記タブ群を前記電極組立体の積層方向他端寄りから覆う第３絶縁部とを有し、
前記第２絶縁部には、前記溶接部が対向している部分における前記電極組立体の積層方向一端寄りの外側を少なくとも囲む壁部が設けられていることを特徴とする蓄電装置。
【請求項２】
前記第２絶縁部は、板状をなし、
前記壁部は、前記第２絶縁部から前記第１絶縁部に向けて突出するように設けられていることを特徴とする請求項１に記載の蓄電装置。
【請求項３】
前記壁部は、前記第２絶縁部の前記溶接部に対向している部分における前記電極組立体の積層方向一端寄りの外側に設けられる第１壁部と、前記第１壁部の両端から前記電極組立体の積層方向他端寄りに向けて延びる一対の第２壁部と、を有し、
前記第２壁部は、前記導電部材に当接するまで突出していることを特徴とする請求項１又は請求項２に記載の蓄電装置。
【請求項４】
前記壁部は、前記第２絶縁部の前記溶接部と対向している部分の外側の全周を囲むように設けられていることを特徴とする請求項１〜請求項３のいずれか一項に記載の蓄電装置。
【発明の詳細な説明】
【技術分野】
【０００１】
本発明は、蓄電装置に関する。
【背景技術】
【０００２】
従来、特許文献１に記載されるような蓄電装置が知られている。
上記の蓄電装置は、シート状の正極及び負極の電極が絶縁された状態で積層された電極組立体と、電極組立体を収容するケースとを備えている。電極組立体は、電極の一辺の一部から突出したタブを同じ極性同士で寄せ集めたタブ群を有している。タブ群は、電極組立体の積層方向一端寄りにタブが寄せ集められた基端部と、基端部から電極組立体の積層方向他端寄りに向けて延出する延出部とを備えている。延出部は、複数のタブが溶接されることで導電部材に固定されている溶接部を有している。ケースは、有底筒状のケース本体と、ケース本体の開口部を閉塞する蓋とを有している。
【０００３】
蓄電装置は、電極組立体と電気を授受する電極端子を備えている。電極端子は、蓋に固定されている。同じ極性同士のタブ群と電極端子とは、導電部材により電気的に接続されている。また、蓄電装置は、絶縁カバーを備えている。絶縁カバーは、蓋と導電部材との間に位置し、蓋と導電部材とを絶縁する第１絶縁部を有している。絶縁カバーは、電極組立体のタブ群が存在するタブ側端面と、延出部におけるタブ側端面と対向している延出端面との間に位置する第２絶縁部を有している。絶縁カバーは、第１絶縁部及び第２絶縁部の一端を接続するとともに前記タブ群を電極組立体の積層方向他端寄りから覆う第３絶縁部を有している。
【先行技術文献】
【特許文献】
【０００４】
【特許文献１】特開２０１５−３２５４９号公報
【発明の概要】
【発明が解決しようとする課題】
【０００５】
ところで、タブ群の溶接部が形成されるときに溶接部に溶接異物が発生する。この溶接異物が電極組立体に向けて落下すると、蓄電装置が短絡してしまう可能性がある。
本発明は、上記課題を解決するためになされたものであり、その目的は、溶接異物が電極組立体に至る可能性を低減できる蓄電装置を提供することにある。
【課題を解決するための手段】
【０００６】
上記課題を解決する蓄電装置は、正極と負極の電極が絶縁された状態で積層され、且つ前記電極から突出したタブが同じ極性同士で積層されたタブ群を有する電極組立体と、前記電極組立体を収容する有底筒状のケース本体、及び前記ケース本体の開口部を閉塞する板状の蓋を有するケースと、同じ極性の前記タブ群と電気的に接続されるとともに、前記蓋の下面と、前記電極組立体における前記タブ群が存在するタブ側端面との間に配置される導電部材と、前記蓋に固定され、前記導電部材と電気的に接続された電極端子と、前記蓋と前記電極組立体の前記タブ側端面との間に配置される絶縁カバーと、を備える蓄電装置であって、前記タブ群は、前記電極組立体の積層方向一端寄りに前記タブが寄せ集められた基端部と、前記基端部から前記電極組立体の積層方向他端寄りに向けて延出するとともに前記タブが溶接されることで前記導電部材に固定されている溶接部を有する延出部と、を備え、前記絶縁カバーは、前記蓋と前記導電部材との間に設けられている第１絶縁部と、前記タブ側端面と、前記延出部における前記タブ側端面と対向している延出端面との間に設けられている第２絶縁部と、前記第１絶縁部と前記第２絶縁部とを接続するとともに前記タブ群を前記電極組立体の積層方向他端寄りから覆う第３絶縁部とを有し、前記第２絶縁部には、前記溶接部が対向している部分における前記電極組立体の積層方向一端寄りの外側を少なくとも囲む壁部が設けられている。
【０００７】
これによれば、溶接部に発生する可能性のある溶接異物は、第２絶縁部に設けられた壁部により第２絶縁部の溶接部が対向している部分に滞留しやすくなる。したがって、溶接異物が電極組立体に至る可能性を低減できる。
【０００８】
上記の蓄電装置において、前記第２絶縁部は、板状をなし、前記壁部は、前記第２絶縁部から前記第１絶縁部に向けて突出するように設けられているとよい。
これによれば、第２絶縁部から第１絶縁部に向けて突出するように壁部が設けられている。よって、蓄電装置のサイズを維持した状態で溶接異物が電極組立体に至る可能性を低減できる。
【０００９】
上記の蓄電装置において、前記壁部は、前記第２絶縁部の前記溶接部に対向している部分における前記電極組立体の積層方向一端寄りの外側に設けられる第１壁部と、前記第１壁部の両端から前記電極組立体の積層方向他端寄りに向けて延びる一対の第２壁部と、を有し、前記第２壁部は、前記導電部材に当接するまで突出しているとよい。
【００１０】
これによれば、溶接異物は第１壁部及び第２壁部に取り囲まれた状態となる。よって、溶接異物が第２絶縁部の溶接部に対向している部分に至ったとしても、溶接異物は第１壁部及び一対の第２壁部により囲まれた状態になる。したがって、溶接異物を第２絶縁部の溶接部に対向している部分により滞留させやすくすることができる。
【００１１】
上記の蓄電装置において、前記壁部は、前記第２絶縁部の前記溶接部と対向している部分の外側の全周を囲むように設けられているとよい。
これによれば、溶接異物が第２絶縁部の溶接部に対向している部分に至ったとき、溶接異物は、壁部に囲まれた状態になる。したがって、溶接異物が電極組立体に至る可能性をより好適に低減できる。
【発明の効果】
【００１２】
この発明によれば、溶接異物が電極組立体に至る可能性を低減できる。
【図面の簡単な説明】
【００１３】
【図１】蓄電装置の分解斜視図。
【図２】電極組立体の分解斜視図。
【図３】蓄電装置の断面図。
【図４】蓄電装置の断面図。
【図５】壁部の斜視図。
【図６】壁部の斜視図。
【図７】壁部の上面図。
【図８】壁部の部分断面図。
【図９】変更例における壁部の断面図。
【発明を実施するための形態】
【００１４】
以下、蓄電装置を具体化した実施形態を図１〜図８にしたがって説明する。本実施形態の蓄電装置は、車両（自動車及び産業用車両）に搭載されており、車両に搭載された走行用モータを駆動する電力が充電される。
【００１５】
図１に示すように、蓄電装置１０は、リチウムイオン二次電池が採用されている。蓄電装置１０は、ケース１１を備えている。蓄電装置１０は、ケース１１に収容された電極組立体１２を備えている。ケース１１は、直方体状のケース本体１３と、ケース本体１３の開口部１３ａを閉塞する矩形平板状の蓋１４とを有している。ケース１１を構成するケース本体１３及び蓋１４は、何れも金属製（例えば、ステンレスやアルミニウム）である。また、本実施形態の蓄電装置１０は、その外観が角型をなす角型電池である。
【００１６】
ケース本体１３は、矩形板状の底壁１３ｂと、底壁１３ｂの一対の長側縁部から立設された長側壁１３ｃと、底壁１３ｂの一対の短側縁部から立設された短側壁１３ｄとを有している。以下、底壁１３ｂから長側壁１３ｃ及び短側壁１３ｄが立設する方向を立設方向という。蓋１４において、ケース１１の内側に臨む面を下面１４ａとし、ケース１１の外側に臨む面を上面１４ｂとする。蓋１４によってケース本体１３の開口部１３ａが閉塞された状態では、蓋１４の下面１４ａは、長側壁１３ｃ及び短側壁１３ｄの立設方向の先端面１３ｅに接触する。
【００１７】
図２に示すように、電極組立体１２は、シート状の複数の正極２０と、シート状の複数の負極２１と、シート状の複数のセパレータ２２とを備えている。電極組立体１２は、正極２０と負極２１との間にセパレータ２２を介在させて、且つ相互に絶縁させた状態で積層した層状構造をなしている。なお、正極２０及び負極２１は電極の一例である。
【００１８】
正極２０は、矩形シート状の正極金属箔（例えばアルミニウム箔）２３と、正極金属箔２３の両面に存在する正極活物質層２４とを有している。正極２０は、一対の長辺に沿う縁部のうち一方の縁部にタブ側縁部２０ａを備えている。正極２０は、タブ側縁部２０ａの一部から突出したタブとしての正極タブ２５を有している。正極タブ２５は、正極金属箔２３そのもので構成されている。
【００１９】
負極２１は、矩形シート状の負極金属箔（例えば銅箔）２６と、負極金属箔２６の両面に存在する負極活物質層２７とを有している。負極２１は、一対の長辺に沿う縁部の一方の縁部にタブ側縁部２１ａを備えている。負極２１は、タブ側縁部２１ａの一部から突出したタブとしての負極タブ２８を有している。負極タブ２８は、負極金属箔２６そのもので構成されている。複数の正極タブ２５及び負極タブ２８は、正極２０及び負極２１が積層された状態で、正極タブ２５と負極タブ２８とが重ならない位置に存在する。セパレータ２２は、絶縁性を有し、正極２０と負極２１とを絶縁する。正極２０、負極２１、及びセパレータ２２が積層された方向を電極組立体１２の積層方向とする。
【００２０】
図３に示すように、電極組立体１２は、タブ側端面１２ａを有している。タブ側端面１２ａは、図２に示すタブ側縁部２０ａ，２１ａとセパレータ２２の縁部とを寄せ集めることで構成されている。タブ側端面１２ａには、タブ群としての正極タブ群２５ａ及び負極タブ群２８ａが設けられている。各タブ群２５ａ，２８ａは、図２に示す全ての各タブ２５，２８が電極組立体１２の積層方向一端寄りに寄せ集められ、積層されることで構成されている。
【００２１】
各タブ群２５ａ，２８ａは、それぞれ電極組立体１２の積層方向一端寄りに基端部２９ａを備えている。基端部２９ａは、各タブ群２５ａ，２８ａを電極組立体１２の積層方向一端寄りに寄せ集められることで構成されている。また、各タブ群２５ａ，２８ａは、基端部２９ａから電極組立体１２の積層方向他端寄りに向けて延出する延出部２９ｂを備えている。延出部２９ｂは、各タブ群２５ａ，２８ａの複数の正極タブ２５及び複数の負極タブ２８が溶接されることで導電部材１７に固定されている溶接部２９ｄを有している。各タブ群２５ａ，２８ａは、それぞれ延出部２９ｂより先端寄りに電極組立体１２の積層方向他端寄りから積層方向一端寄りに向けて折り返された先端側曲げ部２９ｃを備えている。なお、導電部材１７は、正極２０及び負極２１のそれぞれに対応する正極導電部材と負極導電部材とにより構成されるものである。
【００２２】
図１及び図３に示すように、蓄電装置１０は、電極組立体１２と電気を授受する電極端子１５を備えている。電極端子１５は、それぞれ蓋１４に固定されている。電極端子１５は、引出端子１９ａを備えている。引出端子１９ａは、蓋１４の上面１４ｂよりも外側に突出している。ここで、電極端子１５は、それぞれ正極２０及び負極２１に対応する正極端子及び負極端子を備えている。また、引出端子１９ａは、正極２０及び負極２１に対応する正極引出端子及び負極引出端子を備えている。
【００２３】
図４に示すように、引出端子１９ａは、同じ極性を有する導電部材１７と接合されている。導電部材１７は、各タブ群２５ａ，２８ａと接合されている。これにより、電極端子１５は、導電部材１７及び各タブ群２５ａ，２８ａを介して電極組立体１２と電気的に接続されている。導電部材１７は、蓋１４の下面１４ａと電極組立体１２のタブ側端面１２ａとの間に配置されている。電極端子１５はそれぞれ、蓋１４の上面１４ｂで引出端子１９ａと電気的に接続された端子接続部材１９ｂと、蓋１４の外側で端子接続部材１９ｂと電気的に接続された外部接続端子１９ｃを備えている。電極端子１５は、端子接続部材１９ｂ及び外部接続端子１９ｃを蓋１４から絶縁する外側絶縁部材１９ｄを蓋１４の上面１４ｂに備えている。
【００２４】
図１に示すように、蓄電装置１０は、ケース１１内において、電極組立体１２のタブ側端面１２ａと蓋１４の下面１４ａとの間に位置する絶縁カバー３０を備えている。絶縁カバー３０は、樹脂製である。絶縁カバー３０は、第１絶縁カバー３０ａと第２絶縁カバー３０ｂとが組み付けられることにより構成される。第１絶縁カバー３０ａは、電極組立体１２のタブ側端面１２ａと対向している対向面から電極組立体１２寄りに突出したリブ３４を備えている。リブ３４は、蓋１４寄りに凹む係止凹部３４ａを備えている。第２絶縁カバー３０ｂは、第１絶縁カバー３０ａに向けて突出した係止用突出部３９を備えている。係止用突出部３９は、先端部に係止爪３９ａを備えている。係止爪３９ａは、第１絶縁カバー３０ａの係止凹部３４ａに係止可能である。第１絶縁カバー３０ａと第２絶縁カバー３０ｂとは、第１絶縁カバー３０ａの係止凹部３４ａに第２絶縁カバー３０ｂの係止爪３９ａが係止されることで一体に組み付けられることで構成される。
【００２５】
絶縁カバー３０の構成についてより詳しく説明する。
図１及び図３に示すように、第１絶縁カバー３０ａは、各タブ群２５ａ，２８ａの先端側曲げ部２９ｃ寄りから導電部材１７に対して装着されている。第２絶縁カバー３０ｂは、正極タブ群２５ａ及び負極タブ群２８ａの基端部２９ａ寄りから導電部材１７に対して装着されている。
【００２６】
第１絶縁カバー３０ａは、矩形板状の第１部位３１と、矩形板状の第２部位３２と、第１部位３１の長辺方向に沿う一辺と第２部位３２の長辺方向に沿う一辺とを接続する第３部位３３とを備えている。第１絶縁カバー３０ａは、第１部位３１及び第２部位３２の有する両面が蓋１４の下面１４ａに沿うように設けられている。
【００２７】
第１部位３１は、蓋１４の下面１４ａと導電部材１７との間に設けられている。よって、第１部位３１は、蓋１４と導電部材１７とを絶縁している。第１部位３１は導電部材１７に支持されている。
【００２８】
第２部位３２は、電極組立体１２のタブ側端面１２ａと、各タブ群２５ａ，２８ａにおける延出部２９ｂにおけるタブ側端面１２ａと対向している延出端面２９ｅとの間に設けられている。第２部位３２は、タブ側端面１２ａと延出端面２９ｅとの間に設けられた状態で延出端面２９ｅ及び先端側曲げ部２９ｃに接触しないように設けられている。第２部位３２は、各タブ群２５ａ，２８ａの溶接部２９ｄが対向している位置を含むように蓄電装置１０の内部に向けて延びている。また、第２部位３２は、電極組立体１２のタブ側端面１２ａと、各タブ群２５ａ，２８ａの先端側曲げ部２９ｃとの間に設けられている。そのため、先端側曲げ部２９ｃは、導電部材１７と、第２部位３２と、第３部位３３とで区画された空間に入り込んだ状態となる。
【００２９】
図１及び図４に示すように、第１絶縁カバー３０ａにおける第２部位３２の長辺方向の寸法は、第１部位３１の長辺方向の寸法よりも長い。第２部位３２は、長辺方向の一端寄りに負極絶縁部３５を備えている。第２部位３２は、長辺方向の他端寄りに正極絶縁部３６を備えている。各絶縁部３５，３６は、電極端子１５の引出端子１９ａの下方であって、電極組立体１２のタブ側端面１２ａよりも上方に設けられている。負極絶縁部３５は、長辺方向の一端寄りにおいて電極組立体１２のタブ側端面１２ａに沿った所定範囲に設けられている。正極絶縁部３６は、長辺方向の他端寄りにおいて電極組立体１２のタブ側端面１２ａに沿った所定範囲に設けられている。各絶縁部３５，３６は、電極端子１５と電極組立体１２とを絶縁している。
【００３０】
図３に示すように、第３部位３３は、各タブ群２５ａ，２８ａを外側から覆っている。詳しくは、第３部位３３は、各タブ群２５ａ，２８ａの先端側曲げ部２９ｃを電極組立体１２の積層方向他端寄りから覆っている。第３部位３３は、電極組立体１２の積層方向において、各タブ群２５ａ，２８ａの先端側曲げ部２９ｃとケース本体１３の長側壁１３ｃの内面との間に設けられている。よって、各タブ群２５ａ，２８ａとケース本体１３とは、第３部位３３によって絶縁されている。なお、本実施形態では、第１絶縁カバー３０ａの第２部位３２は、第２絶縁部の一例であり、第３部位３３は、第３絶縁部の一例である。
【００３１】
図１及び図３に示すように、第２絶縁カバー３０ｂは、矩形板状の第１部位３７と、第１部位３７の長辺方向に沿う一辺から電極組立体１２に向けて立設された第２部位３８とを備えている。第１部位３７は、蓋１４の下面１４ａと導電部材１７との間に設けられている。よって、第１部位３７は、蓋１４と導電部材１７とを絶縁している。第２部位３８は、正極タブ群２５ａ及び負極タブ群２８ａを外側から覆っている。詳しくは、第２部位３８は、各タブ群２５ａ，２８ａの基端部２９ａを電極組立体１２の積層方向一端寄りから覆っている。第２部位３８は、電極組立体１２の積層方向において、各タブ群２５ａ，２８ａの基端部２９ａとケース本体１３の長側壁１３ｃの内面との間に設けられている。よって、各タブ群２５ａ，２８ａとケース本体１３とは、第２部位３８によって絶縁されている。なお、第１絶縁カバー３０ａと第２絶縁カバー３０ｂが組み付けられた状態で、第１絶縁カバー３０ａの第１部位３１と、第２絶縁カバー３０ｂの第１部位３７は、蓋１４の下面１４ａと導電部材１７との間に設けられている。すなわち、第１絶縁カバー３０ａ及び第２絶縁カバー３０ｂの第１部位３１，３７は、第１絶縁部の一例である。
【００３２】
ここで、正極タブ群２５ａ及び負極タブ群２８ａに溶接部２９ｄが形成されるときに溶接部２９ｄには溶接異物が発生する。溶接異物は例えば溶接時にタブが溶けることにより発生する金属粉である。この溶接異物が電極組立体１２に至ると、蓄電装置１０が短絡してしまう可能性がある。本実施形態では、正極タブ群２５ａ及び負極タブ群２８ａの溶接部２９ｄに発生する溶接異物が電極組立体１２に至る可能性を低減できる構成が設けられている。以下、この構成について説明する。
【００３３】
図１、図５、及び図６に示すように、第１絶縁カバー３０ａの第２部位３２には、２つの壁部５０が設けられている。壁部５０は、一対の第１壁部５１と、一対の第２壁部５２とを備えている。壁部５０は、第１絶縁カバー３０ａの第２部位３２から第１部位３１（第１絶縁部）に向けて突出するように設けられている。壁部５０は第１絶縁カバー３０ａと一体成型される。
【００３４】
図３に示すように、壁部５０は、第１絶縁カバー３０ａの第２部位３２における溶接部２９ｄが対向している部分である対向部３２ａの外側の全周を囲むように設けられている。詳しくは、対向部３２ａは、電極組立体１２の各タブ群２５ａ，２８ａが突出している方向において、溶接部２９ｄを第２部位３２に投影したときに形成される平面上の領域のことを示している。壁部５０は、当該平面上の領域である対向部３２ａの外縁（外側）の全周を囲むように設けられている。なお、本実施形態での壁部５０から対向部３２ａの外縁までの距離には若干の余裕があるように設定されている。また、対向部３２ａの大きさは、溶接部２９ｄの大きさによって決まる。溶接部２９ｄは、蓄電装置１０の製造上の溶接条件が一定のもとで形成されるため、溶接部２９ｄの大きさ、ひいては対向部３２ａの大きさもほぼ一定である。
【００３５】
図３及び図７に示すように、一対の第１壁部５１は、第２部位３２の対向部３２ａにおける電極組立体１２の積層方向一端寄り及び積層方向他端寄りの外側に設けられている。一対の第１壁部５１は、第１絶縁カバー３０ａの長辺方向において、第２部位３２の対向部３２ａにおける電極組立体１２の積層方向一端寄り及び積層方向他端寄りの外側の全長よりも長い。一対の第１壁部５１の第２部位３２からの高さは、第１絶縁カバー３０ａと第２絶縁カバー３０ｂとが組み付けられた状態で、第２部位３２から各タブ群２５ａ，２８ａの先端側曲げ部２９ｃまでの高さよりも低い。このようにすることで、第１絶縁カバー３０ａで各タブ群２５ａ，２８ａを電極組立体１２の積層方向他端寄りから覆うときに先端側曲げ部２９ｃが一対の第１壁部５１に干渉することなく、導電部材１７と、第１絶縁カバー３０ａの第２部位３２及び第３部位３３とで区画された空間に入り込んだ状態となる。
【００３６】
一対の第２壁部５２は、一対の第１壁部５１の両端に接続されている。一対の第２壁部５２は、電極組立体１２の積層方向に沿って延びている。
図８に示すように、一対の第２壁部５２は、第１絶縁カバー３０ａの第２部位３２から導電部材１７に当接するまで突出している。このように構成されることで、一対の第２壁部５２は、各タブ群２５ａ，２８ａを電極組立体１２の積層方向に直交する方向において挟み込むように設けられている。上記のように壁部５０が一対の第１壁部５１、及び一対の第２壁部５２により構成されることで、第１絶縁カバー３０ａの第２部位３２の対向部３２ａの全周は、壁部５０により囲まれた状態になっている。
【００３７】
本実施形態では以下の作用効果を得ることができる。
（１）本実施形態では、溶接部２９ｄに発生する可能性のある溶接異物は、第１絶縁カバー３０ａの第２部位３２に設けられた壁部５０により対向部３２ａに滞留しやすくなる。したがって、溶接異物が電極組立体１２に至る可能性を低減できる。
【００３８】
（２）本実施形態では、第１絶縁カバー３０ａの第２部位３２から第１絶縁カバー３０ａの第１部位３１（第１絶縁部）に向けて突出するように壁部５０が設けられている。よって、蓄電装置１０のサイズを維持した状態で溶接異物が電極組立体１２に至る可能性を低減できる。
【００３９】
（３）本実施形態では、溶接異物は一対の第１壁部５１及び一対の第２壁部５２に取り囲まれた状態となる。よって、溶接異物が第１絶縁カバー３０ａの第２部位３２の対向部３２ａに至ったとしても、溶接異物は一対の第１壁部５１及び一対の第２壁部５２により囲まれた状態になる。したがって、溶接異物を対向部３２ａにより滞留させやすくすることができる。したがって、溶接異物が電極組立体１２に至る可能性を好適に低減できる。
【００４０】
（４）また、一対の第２壁部５２を導電部材１７に当接するまで延出させることにより電極組立体１２の正極タブ群２５ａ及び負極タブ群２８ａは、一対の第２壁部５２に積層方向に直交する方向において挟み込まれた状態になる。よって、一対の第２壁部５２は、絶縁カバー３０を蓋１４と導電部材１７との間に配置するとき、正極タブ群２５ａ及び負極タブ群２８ａの延出部２９ｂ及び先端側曲げ部２９ｃが一対の第２壁部５２の間に配置されるようにすることで絶縁カバー３０の位置決めを実施することができる。
【００４１】
なお、本実施形態は、以下のように変更して実施することができる。本実施形態及び以下の変更例は、技術的に矛盾しない範囲で互いに組み合わせて実施することができる。
〇  壁部５０は、一対の第１壁部５１、及び一対の第２壁部５２により構成されたが、例えば以下のように変更してもよい。
【００４２】
図９に示すように、第１絶縁カバー３０ａの第２部位３２に溝６０を設け、溝６０の段差部６１で壁部を形成してもよい。この場合、対向部３２ａは、溝の底部に含まれるように設定され、溝６０の段差部６１で対向部３２ａを囲むように変更してもよい。なお、この場合、第２部位３２の厚さを可能な限り薄く設定すると好ましい。
【００４３】
〇  壁部５０は、対向部３２ａの外側の全周を囲むように矩形板状の一対の第１壁部５１、及び矩形板状の一対の第２壁部５２を備えていたが、例えば、対向部３２ａの外側の全周を環状に囲むようにできるのであれば、どのように変更してもよい。例えば、壁部を対向部３２ａの外側の全周を円環状に囲む１つの壁部で構成してもよい。
【００４４】
〇  壁部５０は、対向部３２ａの外側の全周を囲むように設けられていたが、例えば、一対の第１壁部５１のうち電極組立体１２の積層方向他端部寄りの第１壁部５１を備えない構成を採用してもよい。このように変更しても、第１絶縁カバー３０ａの第３部位３３が電極組立体１２の積層方向他端寄りに設けられている。そのため、第３部位３３により溶接異物を対向部３２ａに滞留させておくことができる。
【００４５】
〇  上記変更例において、電極組立体１２の積層方向他端寄りの第１壁部５１を割愛する構成を採用するときを考える。この場合、壁部５０を１つの第１壁部５１及び一対の第２壁部５２により構成するだけでなく、例えば、対向部３２ａの電極組立体１２の積層方向一端寄りの外側と、対向部３２ａの電極組立体１２の積層方向における外側とを囲むように環状の壁部を設けるようにしてもよい。
【００４６】
〇  壁部５０の一対の第２壁部５２は、導電部材１７に当接するまで突出していたが、例えば、一対の第１壁部５１の高さと同じ高さを有するように変更してもよい。このようにしても本実施形態の（１），（２），（３）の効果を得ることができる。
【００４７】
〇  壁部５０は、電極組立体１２の積層方向一端寄りの第１壁部５１を備え、電極組立体１２の積層方向他端寄りの第１壁部５１、及び一対の第２壁部５２を備えない構成を採用してもよい。対向部３２ａに至った溶接異物が電極組立体１２に至る場合、溶接異物がたどる経路は、対向部３２ａから電極組立体１２の積層方向一端寄りに向かう経路である。そのため、壁部５０は、対向部３２ａにおける電極組立体１２の積層方向一端寄りの外側を少なくとも囲む第１壁部５１により壁部５０が形成されていればよい。
【００４８】
〇  正極タブ群２５ａ及び負極タブ群２８ａは、先端側曲げ部２９ｃを割愛した構成としてもよい。また、先端側曲げ部２９ｃを割愛するにあたって、正極タブ群２５ａ及び負極タブ群２８ａの先端側曲げ部２９ｃを切り取ることが考えられる。先端側曲げ部２９ｃを切り取ったときに延出部２９ｂの先端に切り粉が付着する可能性がある。
【００４９】
そこで、本実施形態の対向部３２ａを溶接部２９ｄだけでなく、延出部２９ｂの先端部に対向している位置を含むように設定し、壁部５０で当該対向部３２ａを囲むように変更することが好ましい。当該壁部５０であれば、当該切り粉が電極組立体１２に至ることも抑制できる。なお、上記変更例に記載した壁部であっても同様の効果が得られる。
【００５０】
〇  例えば、第１絶縁カバー３０ａの第１部位３１が蓋１４と導電部材１７との間の全域に配置されるように変更した絶縁カバーを使用してもよい。
また、折り曲げ可能な１枚の平板状の絶縁カバーを採用し、蓋１４と導電部材１７との間に配置した後、折り曲げることで、第１絶縁カバー３０ａの第２部位３２及び第３部位３３に相当する部分を形成するようにしてもよい。ただし、このとき第２部位３２には、事前に本実施形態の壁部５０又は上記変更例における壁部を設けるようにしておく。なお、同様に当該絶縁カバーを折り曲げることによって第２絶縁カバー３０ｂの第２部位３８を構成すると更に好ましい。
【００５１】
〇  電極組立体１２は、巻回型の電極組立体でもよい。
○  正極２０において、正極活物質層２４は正極金属箔２３の片面に存在してもよい。同様に、負極２１において、負極活物質層２７は負極金属箔２６の片面に存在してもよい。
【００５２】
〇  蓄電装置１０は、リチウムイオン二次電池以外の他の二次電池であってもよい。すなわち、正極用の活物質と負極用の活物質との間をイオンが移動するとともに電荷の教授を行うものであればよい。
【００５３】
〇  蓄電装置１０は、車両に搭載された走行モータを駆動させるものに限らず、搭載先は適宜変更してもよい。
〇  壁部は、絶縁カバーと一体成型されたものに限らず、絶縁カバーと壁部とを別で製造した後に接合してもよい。
【符号の説明】
【００５４】
１０…蓄電装置、１１…ケース、１２…電極組立体、１２ａ…タブ側端面、１３…ケース本体、１３ａ…開口部、１４…蓋、１４ａ…下面、１５…電極端子、１７…導電部材、２０…正極、２１…負極、２５…正極タブ、２５ａ…正極タブ群、２８…負極タブ、２８ａ…負極タブ群、２９ａ…基端部、２９ｂ…延出部、２９ｄ…溶接部、２９ｅ…延出端面、３０…絶縁カバー、３０ａ…第１絶縁カバー、３０ｂ…第２絶縁カバー、３１…第１部位、３２…第２部位、３３…第３部位、３２ａ…対向部、５０…壁部、５１…第１壁部、５２…第２壁部。
【図１】
2020072018.tif 000003
【図２】
2020072018.tif 000004
【図３】
2020072018.tif 000005
【図４】
2020072018.tif 000006
【図５】
2020072018.tif 000007
【図６】
2020072018.tif 000008
【図７】
2020072018.tif 000009
【図８】
2020072018.tif 000010
【図９】
2020072018.tif 000011